(57)【要約】【課題】簡単な構造で実際の魚釣りの雰囲気を味わうことができるとともに、電池の消耗などを気にすることなく魚を釣り上げるテクニックを競うことができる魚釣りゲーム装置を提供すること。【解決手段】釣竿２で魚体１を釣り上げる魚釣りゲーム装置において、魚体１を凸面状に湾曲形成された板部材で構成するとともに略中央に口を模して円形の開口部３を形成し、釣竿２は竿部６の先端に釣り糸を模した軸体７を保持する保持部８を連結し、握り部５には上記軸体７を回転させる駆動機構Ｄを設け、該駆動機構Ｄは握り部５に設けたハンドル１０の回転操作で動作するようにし、上記軸体７は回転時に下端が小さな円を描いて回転するように、下端に向かって軸心から外れるように曲折させるとともに、下端を外方に膨出させて上記開口部３の縁に係合する係合部２２を形成した。【選択図】図１
2005341978.tif 000002
【特許請求の範囲】
【請求項１】
釣竿で魚体を釣り上げる、以下の要件を備えることを特徴とする魚釣りゲーム装置。
（イ）上記魚体を凸面状に湾曲形成された板部材で構成し、略中央に口を模して円形の開口部を形成したこと
（ロ）上記釣竿は竿部の先端に釣り糸を模した軸体を保持する保持部を配置し、握り部に上記軸体を回転させる回転機構を設け、該回転機構は握り部に設けたハンドルの回転操作で動作するようにしたこと
（ハ）上記軸体は回転時に下端が小さな円を描いて回転するように、下端に向かって軸心から外れるように曲折させたこと
（ニ）上記軸体の下端は外方に膨出し、上記開口部の縁に係合する係合部を形成していること
【請求項２】
前記保持部は前記釣竿に対し回動可能に連結されるとともに、回動位置の位置決め機構を備えている、請求項１記載の魚釣りゲーム装置。
【発明の詳細な説明】
【技術分野】
【０００１】
本発明は、魚釣りゲーム装置、詳しくはリールを巻き上げる操作をして魚体を釣り上げる魚釣りゲーム装置に関するものである。
【背景技術】
【０００２】
従来、魚釣りをして遊ぶ玩具としては様々なものが提案されているが、一般的には口を開閉する魚が口を開けたタイミングに釣り針を模したフックを口の中に落とし込み、口が閉じたことによりフックが魚に引っかかるようにしたものがある（例えば、特許文献１）。
【０００３】
この玩具は、竿の先端に魚体の重量で作動するスイッチを設け、竿を把握する内部には電池を収納した把手部と、釣り針と、先端のスイッチに接続した釣り糸と、通電すると振える振動モータを内部に収納した振動部とで構成したもので、玩具の魚体の口が開くところを目掛けて釣り針を引っかけると竿の先端のスイッチが作動して振動部が作動し竿が振るえて魚を釣り上げた手応えを感じることができるようにしたものである。
【特許文献１】実用新案登録第３０５８７９２号号公報
【発明の開示】
【発明が解決しようとする課題】
【０００４】
本発明が解決しようとする問題点は、上述の玩具では魚を釣り上げた実感を味わうことができるように、釣り上げ時に釣竿が振動するが、魚を釣り上げるためのテクニックは特に必要のないもので、釣り遊びは楽しめるがテクニックを要求されるものではなく遊びに飽きてしまう点であった。また、魚には口を開閉させる機構を設け、釣竿にはセンサや振動部を設ける必要があり、電気的な機構を必要とし玩具の製造コストが上昇するのに加え、電池が切れると遊ぶことができない点であった。
【０００５】
本発明は、上記問題点を解決し、簡単な構造で実際の魚釣りの雰囲気を味わうことができるとともに、電池の消耗などを気にすることなく魚を釣り上げるテクニックを競うことができる魚釣りゲーム装置を提供することを課題とする。
【課題を解決するための手段】
【０００６】
前記課題を解決するために本発明に係る魚釣りゲーム装置は、釣竿で魚体を釣り上げる、以下の要件を備えることを特徴とする。
（イ）上記魚体を凸面状に湾曲形成された板部材で構成し、略中央に口を模して円形の開口部を形成したこと
（ロ）上記釣竿は竿部の先端に釣り糸を模した軸体を保持する保持部を配置し、握り部に上記軸体を回転させる回転機構を設け、該回転機構は握り部に設けたハンドルの回転操作で動作するようにしたこと
（ハ）上記軸体は回転時に下端が小さな円を描いて回転するように、下端に向かって軸心から外れるように曲折させたこと
（ニ）上記軸体の下端は外方に膨出し、上記開口部の縁に係合する係合部を形成していること
【０００７】
なお、前記保持部は前記竿部に対し回動可能に連結されるとともに、回動位置の位置決め機構を備えていることが好ましい。
【発明の効果】
【０００８】
請求項１の発明によれば、釣り糸を軸体で構成し、この軸体の先端部が円を描くように軸体を回転させ、魚体の口を模した開口部に軸体の先端を係合させて遠心力で魚を釣り上げるという簡単な構造で、実際の魚釣りの雰囲気を味わうことができるとともに、電池の消耗などを気にすることなく魚を釣り上げるテクニックを競うことができる魚釣りゲーム装置を提供することができる。
【０００９】
請求項２の発明によれば、釣り糸を模した軸体を保持する保持部を竿部に対し回動可能に連結したので、竿部に対し保持部を回動させるという簡単な設定変更で、左利き、右利きの何れの遊戯者にも対応させることができ、ゲームの進行上ハンディのない公平なテクニックを競うことができる魚釣りゲーム装置を実現することができる。
【発明を実施するための最良の形態】
【００１０】
釣竿で魚体を釣り上げる魚釣りゲーム装置において、魚体を凸面状に湾曲形成された板部材で構成し、略中央に口を模して円形の開口部を形成し、釣竿は竿部の先端に釣り糸を模した軸体を配置し、握り部に上記軸体を回転させる回転機構を設け、該回転機構は握り部に設けたハンドルの回転操作で動作するようにし、上記軸体は回転時に下端が小さな円を描いて回転するように、下端に向かって軸心から外れるように曲折させ、該軸体の下端を外方に膨出させ上記開口部の縁に係合する係合部を形成した。
【実施例１】
【００１１】
図１は、本発明に係る魚釣りゲーム装置を示し、この魚釣りゲーム装置は魚体１と、この魚体１を釣り上げる釣竿２とから構成されている。
【００１２】
魚体１は、図２（ａ）（ｂ）に示すように、凸面状に湾曲形成された樹脂製の板部材で構成され、略中央に円形の開口部３を形成し、魚が上を向いて口を開けた状態を模して形成されているものである。
【００１３】
釣竿２は、握り部５と、竿部６と、釣り糸を模した軸体７と、竿部６の先端に連結され上記釣り糸を模した軸体７を保持する保持部８とで構成されている。
【００１４】
握り部５には上記軸体７を回転させる駆動機構Ｄが配置されている。この駆動機構Ｄは、図３に示すように、握り部５の側面に配置されたクランク状のハンドル１０を回すことにより作動するもので、ハンドル１０の軸１１に固定されたクラウン歯車１２と、このクラウン歯車１２に噛み合うピニオンギヤ１３とで構成され、ピニオンギヤ１３の回転軸１４は中空の竿部６の内部を貫通し、竿部６の先端から突出した回転軸１４の先端にはクラウン歯車１５が固定されている。
【００１５】
なお、竿部６の先端には、嵌合軸部１６が嵌め込まれ、接着剤など適宜手段で竿部６と嵌合軸部１６とが連結固定されている。この嵌合軸部１６は保持部８の嵌合孔１７に回動可能に嵌め合わされ、保持部８は竿部６に連結した状態で嵌合軸部１６を中心にして竿部６の先端で回動できるようになっている。そして、嵌合軸部１６の周面には、図４（ａ）に示すように、２つの係合溝１８（１８ａ、１８ｂ）が対称の位置に形成されている。この係合溝１８は保持部８内に配置された後述するスタビライザ２０が係合することにより保持部８を回動させた時の位置決めを行うためのものであり、係合軸部１６とスタビライザ２０とは、位置決め機構Ｐを構成している。
【００１６】
この位置決め機構Ｐは、竿部６に対し保持部８を回動させると、１８０度毎にスタビライズされるようになっているもので、この状態ではハンドル１０が握り部５の右側面又は左側面に位置する状態で軸体７が下方に向かって垂直になっている状態である。このことは、遊戯者が右利き、左利きの何れの遊戯者であっても、同じようにハンドル１０を回すことができるようにするためのものである。
【００１７】
保持部８は竿部６の先端に回動可能に取り付けられ、軸体７を保持するとともに、軸体７の上端に固定されたピニオンギヤ１９を上述の回転軸１４の先端に固定されたクラウン歯車１５に噛み合うように軸支するためのもので、内部には上述の係合溝１８に係合するスタビライザ２０の下部２０aを嵌め込む嵌合孔２１が形成されている。
【００１８】
上記保持部８に保持された軸体７は、釣り糸を模して形成されたものであるが、この軸体７は回転時に軸体７の下端７ａが小さな円を描くように、下端に向かって軸心から外方に向かって曲折するとともに、この軸体７の下端７ａは外方に円板状に膨出し、上記魚体１の開口部３の縁に係合する係合部２２を形成している（図５参照）。
【００１９】
次に、上記構成の魚釣りゲーム装置の遊戯態様について説明する。
【００２０】
先ず、遊戯者が右利きか左利きかでハンドル１０を握り部５の左右どちらの側面に位置させるかを設定する。この設定は竿部６に対し軸体７を保持する保持部８をスタビライザ２０が嵌合軸部１６の係合溝１８ａ、１８ｂの何れかに係合するまで回動すればよい。スタビライザ２０が係合溝１８ａに係合した時にはハンドル１０が握り部５の右側面に位置するので右利きの遊戯者に対応し、スタビライザ２０が係合溝１８ｂに係合した時にはハンドル１０が握り部５の左側面に位置するので左利きの遊戯者に対応することができる。
【００２１】
ハンドル１０の位置が決まったら、図６に示すように、握り部５を一方の手で握り、他方の手（利き腕側）でハンドル１０を持ち、釣り糸である軸体７の先端の係合部２２を魚体１の口である開口部３に差し込み、ハンドル１０を回転操作すればよい。
【００２２】
ハンドル１０を回転させると、図５に示すように、ハンドル１０の軸１１に固定されたクラウン歯車１２、このクラウン歯車１２に噛み合うピニオンギヤ１３が回転し、このピニオンギヤ１３の回転軸１４が回転して、保持部８内のクラウン歯車１５が回転することになり、このクラウン歯車１５に噛み合うピニオンギヤ１９が回転するので、このピニオンギヤ１９の回転軸である軸体７が回転する。
【００２３】
軸体７が回転すると、軸体７は下端７ａに向かって軸心から外れるように曲折しているので、図７（ａ）に示すように、軸体７は下端７ａ（係合部２２）が円を描いて回転する。軸体７を回転させると、魚体１は、図７（ｂ）に示すように、軸体７を中心に遠心力で外方に飛び出すように回転させられるので、確実に魚体１が軸体７の先端で振り回されるようになったら、釣竿２を持ち上げても魚体１が軸体７の先から外れることはないので、リールを巻き上げて魚を釣り上げるような雰囲気を味わうことができる。
【００２４】
なお、上述の釣竿２では、竿部６の先端に設けた鍔部１７の周面に係合溝１８を形成したが、この係合溝１８に代えて、図４（ｂ）に示すように、鋸歯状に係合溝２３を周設してもかまわない。このことにより、釣り糸を模した軸体７を垂直状態に維持したまま任意の角度でハンドル１０を操作することができ、遊戯者の操作しやすい角度でハンドル１０の回転操作を行えるようにすることができる。
【００２５】
また、図８に示すように、回転する円盤２４を備えたゲーム盤２５上に上記魚体１を載置して、釣りゲームを行うようにしてもよい。このことにより、ターゲットの魚体１が常に移動しているので、釣竿１の釣り糸である軸体７の先端の係合部２２を魚体１の開口部３に係合させた状態で、円盤２４上から落ちないように振り回すことができるか否かが難しくなり、ゲームの難易度を高めることができる。
【図面の簡単な説明】
【００２６】
【図１】本発明に係る魚釣りゲーム装置の構成を示す斜視図
【図２】（ａ）（ｂ）は魚体の平面図及び縦断面図
【図３】上記釣竿の構成を説明する分解斜視図
【図４】（ａ）（ｂ）は保持部を回動させたときの位置決め機構を説明する斜視図
【図５】釣竿の動作説明図
【図６】上記魚釣りゲーム装置の遊戯態様を説明する斜視図
【図７】（ａ）（ｂ）は上記釣竿と魚体の関係を説明する要部断面図
【図８】上記魚釣りゲーム装置の遊戯態様の他の例を示す斜視図
【符号の説明】
【００２７】
１    魚体
２    釣竿
３    開口部
５    握り部
６    竿部
７    軸体
８    保持部
１０    ハンドル
Ｄ    駆動機構
Ｐ    位置決め機構
【図１】
2005341978.tif 000003
【図２】
2005341978.tif 000004
【図３】
2005341978.tif 000005
【図４】
2005341978.tif 000006
【図５】
2005341978.tif 000007
【図６】
2005341978.tif 000008
【図７】
2005341978.tif 000009
【図８】
2005341978.tif 000010